(57)【要約】      （修正有）【課題】貯蓄と身長測定の２つの動作を組み合わせ、相互を誘因として、貯蓄習慣の養成を増進することができる貯金箱装置を提供する。【解決手段】身長測定機能を備えた貯金箱装置は、主に、ガイドボード２とカバーボード３を含む操作ボード１と、少なくとも１つのガイド部２３と、少なくとも１つの収容槽２２と、少なくとも１つの収容部材４と、収容空間４１と、少なくとも１つの空洞部３２と、身長表示部１２を含み、使用者がガイド部から硬貨を投入し、収容空間内に保存できるようにすることで、貯蓄機能を提供し、同時に操作ボードによる身長測定機能を兼備する。【選択図】図２
0003219908.tif 000002
【実用新案登録請求の範囲】
【請求項１】
身長測定機能を備えた貯金箱装置であって、主に、ガイドボードと、該ガイドボードの一側に設置されたカバーボードを含む操作ボードと、該ガイドボード上に形成された少なくとも１つのガイド部と、該ガイドボード上に形成された少なくとも１つの収容槽と、該収容槽上に設置され、内部に少なくとも１つの収容空間を備えた少なくとも１つの収容部材と、該収容部材の位置に対応して該カバーボード上に形成された少なくとも１つの空洞部と、該操作ボード上に設けられた身長表示部と、を含むことを特徴とする、身長測定機能を備えた貯金箱装置。
【請求項２】
前記カバーボード上に、該ガイド部上方に位置する少なくとも１つの透光部が形成され、かつ該操作ボードが該カバーボード上に設けられた少なくとも１つの図案部を含み、かつ該透光部が該図案部の内側に位置することを特徴とする、請求項１に記載の身長測定機能を備えた貯金箱装置。
【請求項３】
前記ガイド部が、該ガイドボードの側壁に形成された開口部と、該ガイドボード内に形成された複数の湾曲部を含み、かつ該収容部材の一側に、該ガイド部と該収容空間を導通させる通口部が形成されたことを特徴とする、請求項１に記載の身長測定機能を備えた貯金箱装置。
【請求項４】
前記収容槽の外壁に、該ガイドボードと該収容部材を支持する支持部が設けられ、かつ該ガイドボード上に少なくとも１つの位置決め部材を設置するための少なくとも１つの位置決め孔が設けられ、該収容部材上に該位置決め部材の位置を規制する少なくとも１つの位置規制部が形成されたことを特徴とする、請求項１に記載の身長測定機能を備えた貯金箱装置。
【請求項５】
前記ガイドボードから離れた該カバーボードの一側に設置された結合部材を含み、該ガイド部が空洞の態様であり、かつ該結合部材と結合されてガイド通路を形成することを特徴とする、請求項１に記載の身長測定機能を備えた貯金箱装置。
【請求項６】
前記収容部材上に取出口が形成され、かつ該取出口上にキャップ部が可動的に設置されたことを特徴とする、請求項１に記載の身長測定機能を備えた貯金箱装置。
【考案の詳細な説明】
【技術分野】
【０００１】
本考案は身長測定機能を備えた貯金箱装置に関し、特に、貯金機能を提供する収容部材と身長測定機能を提供する身長表示部を組み合わせ、貯蓄と身長測定の動機を増進する、身長測定機能を備えた貯金箱装置に関する。
【背景技術】
【０００２】
現在市販されている貯金箱の構造は種類が非常に多く、既知の貯金箱はほとんどがプラスチック製貯金箱、金属容器またはガラス製貯金箱であり、廃棄時に環境汚染と資源の無駄を生じる。さらに、異なる顧客群のニーズに対応するため、市場の貯金箱は動物のデザインや標準化されたデザインの貯金箱がほとんどで、一目でそれが貯金用の貯金箱装置であることが分かり、また、このような貯金箱では子供に貯金を習慣付けることが困難である。
【０００３】
子供は自身の身体発育状況を確実に理解するために、往々にして一定期間ごとに身長を測定し、子供の成長状況を把握する必要があり、それにより簡単な身体検査の目的を達する。しかしながら、一般的な身長計の外観は比較的単調で、病院などで採用されているものを除き、一般家庭で該身長計を購入することはなく、適用性が広いとは言えない。さらに、身長計は体積が比較的大きく、室内に置いたとき、室内で比較的大きな使用空間を占め、空間が限られる状況下では使用上不便である。また、身長測定に対して子供に興味を持たせるために、壁にかわいいウォールステッカーを貼ることがよくあるが、このような方法は保護者の後押しや仲間との競争がないと、高い成果が得られない。
【考案の概要】
【考案が解決しようとする課題】
【０００４】
本考案は、収容部材と身長表示部が一体として設計され、かつ全体の構造が簡単で、目を引く外観を備え、かつ貯蓄と身長測定の２つの動作を組み合わせ、相互を誘因として、貯蓄習慣の養成をより増進することができる、身長測定機能を備えた貯金箱装置を提供することを課題とする。
【課題を解決するための手段】
【０００５】
以下この考案について説明する。請求項１に記載する身長測定機能を備えた貯金箱装置は、主に、ガイドボードと、該ガイドボードの一側に設置されたカバーボードを含む操作ボードと、該ガイドボード上に形成された少なくとも１つのガイド部と、該ガイドボード上に形成された少なくとも１つの収容槽と、該収容槽上に設置され、内部に少なくとも１つの収容空間を備えた少なくとも１つの収容部材と、該収容部材の位置に対応して該カバーボード上に形成された少なくとも１つの空洞部と、該操作ボード上に設けられた身長表示部と、を含む。これにより簡単な構造とかわいい外観を利用し、貯蓄機能を備えた収容部材と、身長測定機能を備えた操作ボードを統合することで、空間をあまり占拠せずに済む。
【０００６】
請求項２に記載する身長測定機能を備えた貯金箱装置は、請求項１におけるカバーボード上に、該ガイド部上方に位置する少なくとも１つの透光部が形成され、かつ該操作ボードが該カバーボード上に設けられた少なくとも１つの図案部を含み、かつ該透光部が該図案部の内側に位置する。
【０００７】
請求項３に記載する身長測定機能を備えた貯金箱装置は、請求項１におけるガイド部が、該ガイドボードの側壁に形成された開口部と、該ガイドボード内に形成された複数の湾曲部を含み、かつ該収容部材の一側に、該ガイド部と該収容空間を導通させる通口部が形成される。
【０００８】
請求項４に記載する身長測定機能を備えた貯金箱装置は、請求項１における収容槽の外壁に、該ガイドボードと該収容部材を支持する支持部が設けられ、かつ該ガイドボード上に少なくとも１つの位置決め部材を設置するための少なくとも１つの位置決め孔が設けられ、該収容部材上に該位置決め部材の位置を規制する少なくとも１つの位置規制部が形成される。
【０００９】
請求項５に記載する身長測定機能を備えた貯金箱装置は、請求項１におけるガイドボードから離れた該カバーボードの一側に設置された結合部材を含み、該ガイド部が空洞の態様であり、かつ該結合部材と結合されてガイド通路を形成する。
【００１０】
請求項６に記載する身長測定機能を備えた貯金箱装置は、請求項１における収容部材上に取出口が形成され、かつ該取出口上にキャップ部が可動的に設置される。
【考案の効果】
【００１１】
使用者が本考案を利用して身長を測定するときは、操作ボードの前方に立ち、身長表示部を利用して使用者の身長を測定する。同時に、ガイドボードから硬貨を投入し、ガイド部を経由して収容部材の収容空間内に入れることができ、かつ空洞部を利用して収容部材内に保存された硬貨を見ることができる。このように、貯金箱と身長計の２つの相互に独立した個体を簡単に統合し、保護者が貯金の動作を通じて使用者の成長に対しご褒美をあげたり、貯金のゲームを通じて使用者の成長の意欲を刺激したりすることができる。
【００１２】
上述の技術を通じ、従来の貯金箱と身長計に存在する、貯金箱の機能が単調で貯蓄の意欲を刺激できない、身長計の体積が大きすぎ、外観が単調である等の問題点を打破し、上述の利点の実用的な進歩性を達成することができる。
【図面の簡単な説明】
【００１３】
【図１】本考案の最良の実施例の立体図である。
【図２】本考案の最良の実施例の分解図である。
【図３】本考案の最良の実施例の設置を示す立体図である。
【図４】本考案の最良の実施例の身長測定を示す概略図１である。
【図５】本考案の最良の実施例の貯蓄動作を示す概略図１である。
【図６】本考案の最良の実施例の身長測定を示す概略図２である。
【図７】本考案の最良の実施例の貯蓄動作を示す概略図２である。
【図８】本考案の最良の実施例の硬貨導入を示す概略図である。
【図９】本考案の最良の実施例の収容部材を開けた状態を示す概略図である。
【図１０】本考案の別の最良の実施例の構造を示す分解図である。
【図１１】本考案のまた別の最良の実施例の実施を示す概略図である。
【図１２】本考案のさらに別の最良の実施例の構造を示す分解図である。
【図１３】本考案のまた別の最良の実施例の分解図である。
【図１４】本考案のまた別の最良の実施例の実施を示す概略図である。
【考案を実施するための形態】
【００１４】
図１と図２に示すように、本考案は操作ボード１を含み、
該操作ボード１が、ガイドボード２と、該ガイドボード２の一側に設置されたカバーボード３を含み、そのうち、該ガイドボード２上に少なくとも１つの位置決め部材６の設置に用いる少なくとも１つの位置決め孔２１が設けられ、
該ガイドボード２上に少なくとも１つのガイド部２３が形成され、該ガイド部２３が、該ガイドボード２の側壁に形成された開口部２３１と、該ガイドボード２内に形成された複数の湾曲部２３２を含み、
該ガイドボード２上に少なくとも１つの収容槽２２が形成され、該収容槽２２の外壁に、該ガイドボード２と下述する収容部材４を支持するための支持部２２１が設けられ、
該収容槽２２上に少なくとも１つの収容部材４が設置され、該収容部材４内に少なくとも１つの収容空間４１が形成され、かつ該収容部材４上に、該位置決め部材６の位置を規制する少なくとも１つの位置規制部４２が形成され、かつ該収容部材４の一側に、該ガイド部２３と該収容空間４１を導通させる通口部４３が形成され、
該カバーボード３上に、該ガイド部２３上方に位置する少なくとも１つの透光部３１が形成され、かつ該操作ボード１が該カバーボード３上に設けられた少なくとも１つの図案部１１を含み、かつ該透光部３１が該図案部１１の内側に位置し、
該カバーボード３上に、該収容部材４の位置に対応する少なくとも１つの空洞部３２が形成され、
該操作ボード１のカバーボード３上に身長表示部１２が設けられる。
【実施例１】
【００１５】
図１から図９に示すように、本考案の操作ボード１は主に、ガイドボード２にカバーボード３が結合され、さらにガイドボード２の収容槽２２上に収容部材４が設置され、全体の構造が完成する。このように構造が簡単で、体積を占用しない設計であり、かつカバーボード３上の身長表示部１２を利用して身長測定機能を提供すると同時に、ガイドボード２上のガイド部２３を貯金箱の硬貨投入口とすることで、身長測定と貯蓄の機能を簡単に統合することができる。
【００１６】
使用前に、まずカバーボード３をガイドボード２上に結合する。その結合方法は粘着、またはカバーボード３の側縁を被覆して固定する。さらに収容部材４を空洞部３２から収容槽２２内に結合し、さらにガイドボード２を壁面上に当て、厚みが比較的厚い支持部２２１をガイドボード２の支持平衡構造とするか、粘着で補助し、ガイドボード２を壁面上に貼り付ける。さらに位置決め部材６（釘やねじ）を収容部材４の位置規制部４２の一側からガイドボード２の位置決め孔２１に穿通し、ガイドボード２を壁面上に確実に固定することができる。このとき、該位置決め部材６がねじの場合、収容部材４の両側から収容部材４のくびれ部に固定され、収容部材４を支持する機能を同時に具備し、これで全体の設置動作が完了する（図３参照）。
【００１７】
実際の使用時は、使用者がカバーボード３の前方に立つだけで、身長表示部１２を利用して使用者の身長を測定でき、また使用者が空洞部３２から収容部材４（及び収容空間４１内の硬貨）の存在をはっきり確認できるため、使用者の興味をかき立て、貯金を促すことができる。特に、使用者が身長の低い幼児である場合、その身長では直接開口部２３１から硬貨を投入できないため、幼児の早く背を伸ばしたいという意欲を効果的に刺激できる（図４、図５参照）。また、使用者が身長の比較的高い児童である場合、一般に身長の発育期であるため、硬貨を投入するゲームを利用したり、例えば何センチ伸びたらいくら投入するなど貯蓄のご褒美を誘因としたり（図６、図７参照）することができる。これにより、貯金箱と身長計の２つの相互に独立した個体を簡単に整合し、かつ保護者が貯金の動作を通じて使用者の成長に対しご褒美をあげたり貯金のゲームを通じて使用者の成長の意欲を刺激したりすることができ、貯金と身長の伸びの相互を誘因とする効果を達し、貯蓄習慣の養成を増進することができる。
【００１８】
本考案は特殊な設計を通じ、貯金ゲームの楽しみを強化している。具体的には、図８に示すように、ガイド部２３を長いスライド溝の態様とし、かつ複数の湾曲部２３２を設ける。使用者がガイドボード２の開口部２３１から硬貨を投入すると、硬貨が連続湾曲した湾曲部２３２を通って収容部材４の収容空間４１内に入り、かつ摺動の過程で、硬貨が滑り落ちて収容部材４の通口部４３から収容空間４１内に入る様子を透光部３１から見ることができ、最後に収容部材４の中に貯まった硬貨を空洞部３２から確認できる。透光部３１をガイド部２３の上方に設計することで、使用者が硬貨の滑落過程をはっきり見ることができ、かつカバーボード３上の図案部１１が透光部３１の外側に位置する設計であるため、動物のデザインの図案部１１を組み合わせれば、硬貨が動物の口から進入し、長い首（ガイド部２３）を通って大きな腹（収容部材４）の中に落ちる楽しさが生まれ、使用者の興味を大幅に高めることができる。
【００１９】
使用者が収容部材４内の硬貨を取り出したいときは、図９に示すように、上から下へ収容部材４を開く（設置された位置決め部材６がねじの場合、該位置決め部材６を先に取り外す必要があるが、本実施例は単純に操作ボード１を固定する釘である）だけで、碗状の収容部材４が片面に開口した収容空間４１を提供し、これにより、硬貨を収容部材４内に貯めてから、確実に取り出すことができる。
【実施例２】
【００２０】
図１０に示すように、本実施例は上述の実施例とほぼ同じであるが、該ガイドボード２ａの該カバーボード３ａから離れた一側に結合部材５ａが追加設置されている。本実施例のガイド部２３ａは長い穿通孔の空洞の態様であるため、結合部材５ａを組み合わせて設置した後、該結合部材５ａとの結合でガイド通路２３３ａが形成される。これにより同様に貯金の機能を提供することができ、さらに全体の構造強度を高め、硬貨投入の動作が不適切な場合に、本考案がすぐに摩損してしまうことを回避できる。
【実施例３】
【００２１】
図１１に示すように、本実施例は上述の実施例とほぼ同じであるが、該収容部材４ｂ上に取出口４４ｂが形成され、かつ該取出口４４ｂ上に活キャップ部４４１ｂが可動的に設置される。これにより、硬貨を取り出す動作に別の選択が提供され、使用者はキャップ部４４１ｂを開けるだけで、取出口４４ｂから硬貨を取り出すことができ、収容部材４ｂ全体を開ける必要がない。
【実施例４】
【００２２】
図１２に示すように、本実施例は上述の実施例とほぼ同じであるが、そのうち、該カバーボード３ｃがすべて透明の材質（薄膜やアクリルなど）であり、該図案部１１ｃが操作ボード１ｃのガイドボード２ｃ上に形成され、該収容部材４ｃが密閉容器であり、該通口部４３ｃのみが存在する態様となっている。これにより、原有の機能を提供するほか、すべて透明の材質で成るカバーボード３ｃを利用して操作ボード１ｃの表面の光沢を増し、美感を高めるとともに、収容部材４ｃ内の硬貨を取り出しにくくして、貯蓄習慣の養成により力を入れることができる。
【実施例５】
【００２３】
図１３と図１４に示すように、本実施例は上述の実施例とほぼ同じであるが、そのうち、本実施例においては収容部材４ｄが該ガイドボード２ｄ上に一体成型され、同時に、該取出口４４ｄとキャップ部４４１ｄが引き出しの態様に設計されている。これにより、全体構造組成が簡素化されるほか、内容物を取り出しやすい引き出しの設計を利用し、ガイドボード２ｄの機能により一層純粋なゲームの用途を含有させ、使用者が硬貨を投入した後、ガイド部２３ｄから硬貨が一路滑落していく楽しさを体験できる。当然、キャップ部４４１ｄ上に鍵を増設した場合、同様に貯金箱の機能が提供される。
【符号の説明】
【００２４】
１、１ｃ        操作ボード
１１、１１ｃ    図案部
１２            身長表示部
２、２ａ、２ｃ、２ｄ  ガイドボード
２１            位置決め孔
２２            収容槽
２２１          支持部
２３、２３ａ、２３ｄ  ガイド部
２３１          開口部
２３２          湾曲部
２３３ａ        ガイド通路
３、３ａ、３ｃ  カバーボード
３１            透光部
３２            空洞部
４、４ｂ、４ｃ、４ｄ  収容部材
４１            収容空間
４２            位置規制部
４３、４３ｃ    通口部
４４ｂ、４４ｄ        取出口
４４１ｂ、４４１ｄ    キャップ部
５ａ            結合部材
６              位置決め部材
【図１】
0003219908.tif 000003
【図２】
0003219908.tif 000004
【図３】
0003219908.tif 000005
【図４】
0003219908.tif 000006
【図５】
0003219908.tif 000007
【図６】
0003219908.tif 000008
【図７】
0003219908.tif 000009
【図８】
0003219908.tif 000010
【図９】
0003219908.tif 000011
【図１０】
0003219908.tif 000012
【図１１】
0003219908.tif 000013
【図１２】
0003219908.tif 000014
【図１３】
0003219908.tif 000015
【図１４】
0003219908.tif 000016